(57)【要約】【課題】防水機能を実現した筐体及び撮像装置をより安価に提供すること【解決手段】本発明にかかる筐体は、内部に電子部品を収納し、嵌め合わされる２以上のパーツで構成される筐体１２であって、パーツの内面には、嵌合部２３がある側から離れるに従って幅が狭くなる溝部２０が設けられていることを特徴とするものである。また、溝部２０において、嵌合部２３がある側から離れた位置に吸水性の部材２５が設けられていることが望ましい。これにより、筐体１２内部に侵入した水の浸入を抑制することが可能である。【選択図】図２
2014109757.tif 000002
【特許請求の範囲】
【請求項１】
内部に電子部品を収納し、嵌め合わされる２以上のパーツで構成される筐体であって、
前記パーツの内面には、嵌合部がある側から離れるに従って幅が狭くなる溝部が設けられていることを特徴とする、筐体。
【請求項２】
前記溝部において、
前記嵌合部がある側から離れた位置に吸水性の部材が設けられている、請求項１に記載の筐体。
【請求項３】
前記パーツは、
肉厚が厚い肉厚部と、
前記肉厚部と比較して肉厚が薄い肉薄部と、を有し、
前記溝部は、肉薄部を底面とし、前記肉厚部の側面を当該溝の側面として構成される、請求項１又は２に記載の筐体。
【請求項４】
前記溝部は、
前記吸水性の部材が配設された側から、前記嵌合部がある側の方向に、末広がりの曲面で構成される、請求項３に記載の筐体。
【請求項５】
前記パーツは、
前記本体部の底面を覆う底面パーツと、
前記本体部の底面以外の部分を覆う１つ以上の側面上面パーツと、を有し、
前記底面パーツは、前記側面上面パーツと付き合い部分において、前記底面パーツの外面が内面に対して高く、
少なくとも前記底面パーツは前記溝部を有する、請求項１乃至４のうちいずれか１項記載の筐体。
【請求項６】
前記溝部は、前記嵌合部のある側の位置より、前記吸水性の部材が設けられた側の位置が低くなるよう構成される、請求項１乃至５のうちいずれか１項記載の筐体。
【請求項７】
請求項１乃至６のうちいずれか１項記載の筐体を備えた撮像装置。
【発明の詳細な説明】
【技術分野】
【０００１】
本発明は筐体及び撮像装置に関する。
【背景技術】
【０００２】
電子部品を収納する筐体を水密構造としたカメラが知られている。
特許文献１には、水密性筐体を有する電子装置が記載されている。特許文献１に記載の筐体は、筐体本体に開口部を有し、開口部が蓋で覆われている。開口部は凸条と蓋パッキンとで覆われており、水密構造とされる。また、開口部には窪みが形成され、窪みの最深部には水分吸収材が配置されている。
【０００３】
特許文献２には、カメラ本体側から鏡筒が出没する沈胴式防水カメラに関する技術が記載されている。特許文献２に記載の技術は、カメラ本体側における鏡筒が出没する部分に、鏡筒基部を囲む如くほぼ環状の空間部を形成する。空間部を形成する壁部に外気と連通する通気部を設け、空間部に水分吸収材を配設する。また、通気部には気体のみを通過させる気体通過部材を取付する。
【先行技術文献】
【特許文献】
【０００４】
【特許文献１】特開平４−２５５１７６号公報
【特許文献２】実開平３−２０３２６号公報
【発明の概要】
【発明が解決しようとする課題】
【０００５】
しかしながら、特許文献１に記載の技術では、防塵、防水の撮像装置を構成するために、開口部は凸条と蓋パッキンとで構成している。筐体を水密構造にしようとすると、開口部に精密に蓋パッキンを接着しなければならないため、組立の工程が複雑になる。また、一般に蓋パッキンは特殊な断面形状を有するゴム等の弾性部材で構成されているため、蓋パッキン自体が高価である。よって、特許文献１に記載の技術では、筐体が高価になってしまうという問題があった。
【０００６】
また、特許文献２に記載の技術では、通気部に気体通過部材を配設し、かつ空間部に水分吸収材を配設する必要がある。よって、筐体に使用する部品数が増えてしまい、かつそれらの部品を接着する工程が増えて、筐体が高価になってしまうという問題があった。
【０００７】
本発明はこのような問題を解決するためになされたものであり、防水機能を実現した筐体及び撮像装置をより安価に提供することを目的とする。
【課題を解決するための手段】
【０００８】
本発明にかかる筐体は、内部に電子部品を収納し、嵌め合わされる２以上のパーツで構成される筐体であって、パーツの内面には、嵌合部がある側から離れるに従って幅が狭くなる溝部が設けられていることを特徴とするものである。
本発明にかかる撮像装置は、内部に電子部品を収納し、嵌め合わされる２以上のパーツで構成される筐体であって、パーツの内面には、嵌合部がある側から離れるに従って幅が狭くなる溝部が設けられている筐体を備えるものである。
これにより、筐体の内部に侵入した水が、筐体の内面を伝い、溝部に沿って進む構造となるため、筐体の内部の電子部品が浸水することを抑制することが可能である。
【発明の効果】
【０００９】
本発明によれば、防水構造を備えた筐体及び筐体を備えた撮像装置をより安価に提供することが可能である。
【図面の簡単な説明】
【００１０】
【図１】実施の形態１にかかる撮像装置の外観を示す図である。
【図２】実施の形態１にかかる下面パーツの内面に設けられた溝部２０を拡大した図である。
【図３】実施の形態１にかかる下面パーツ１７において、図２に示す直線I−I′に沿った断面を示す図である。
【図４】実施の形態１にかかる溝部２０の壁面が曲線で構成された場合の、溝部２０を拡大した図である。
【図５】実施の形態１にかかる溝部２０の壁面が曲線であって、さらに、肉薄部２１の上に肉厚部２２が盛り上がった形状で構成された場合を示す、下面パーツ１７の斜視図を示す図である。
【図６】実施の形態１にかかる溝部２０が下面パーツ１７の曲面に沿って形成された場合の断面を示す図である。
【図７】実施の形態１にかかる溝部２０が下面パーツ１７の曲面に沿って形成された場合を示す斜視図である。
【発明を実施するための形態】
【００１１】
実施の形態１
日本工業規格（Japanese Industrial Standards Committee:JIS）には、電気機器器具の外郭による保護等級（Degrees of protection provided byenclosures :IP Code）が定められている。
【００１２】
IPコードのうち、第二特性数字で示される水に対する保護等級の１級から６級については、要約すると以下のように定められている。
１級（防滴I型）：鉛直から落ちてくる水滴による有害な影響がない
２級（防滴II形）：鉛直から15度の範囲で落ちてくる水滴による有害な影響がない
３級（防雨形）：鉛直から60度の範囲で落ちてくる水滴による有害な影響がない
４級（防まつ形）：あらゆる方向からの飛まつによる有害な影響がない
５級（防噴流形）：あらゆる方向からの噴流水による有害な影響がない
６級（耐水形）：あらゆる方向からの強い噴流水による有害な影響がない
【００１３】
上記の規格から、例えば筐体内に水が浸入しても、内部の電子機器に有害な影響を与えなければ、ＪＩＳ規格の１級から６級までの規格を満たす。すなわち、１級から６級までの規定においては、筐体を完全な水密構造にする必要はなく、例え筐体の内部への水が浸入したとしても、筐体内部の電子部品が配設された位置まで、水の浸入を防ぐ構造であれば、ＪＩＳ規格の１級から６級を満たすことができる。
【００１４】
以上より、本願発明の発明者は、筺体内部に侵入した水が、筐体内部に収納された電子部品に悪影響を及ぼさないよう、筐体を構成することを目的とした。
【００１５】
以下、図面を参照して本発明の実施の形態について説明する。本発明は内部に電子部品を収納する筐体にかかるものであるが、本発明では一例として、撮像装置に適用された筐体について説明する。
【００１６】
図１は、撮像装置１０の外観を示す図である。撮像装置１０はレンズユニット１１と、筐体１２と、筐体１２の内部に収納された撮像ユニット（不図示）とを有する。
筐体１２は、嵌め合わされる２以上のパーツで構成される。撮像装置１０の筐体１２は、上面パーツ１３と、第１の前面パーツ１４と、第２の前面のパーツ１５と、後面パーツ１６と、下面パーツ１７と、で構成され、これらのパーツは互いに嵌め合い構造である。
【００１７】
上面パーツ１３、第１の前面パーツ１４、第２の前面のパーツ１５、後面パーツ１６、及び下面パーツ１７のうち少なくとも１つパーツの内面に、溝部２０が設けられている。本実施の形態においては、下面パーツ１７の内面に溝部２０が設けられているものとする。なお、溝部２０は下面パーツ１７のみでなく、他のパーツに設けられていてもよい。
【００１８】
図２〜図７を用いて、溝部２０の形状について説明する。
図２は、下面パーツ１７の内面に設けられた溝部２０を拡大した図である。
溝部２０は、下面パーツ１７が、他のパーツ例えば前面パーツ１４との嵌合部である嵌合部２３がある側から離れるに従って幅が狭くなる形状である。
【００１９】
本実施の形態においては、溝部２０が嵌合部２３から離れるに従って溝部２０が狭くなる形状であるため、嵌合部２３から侵入した水が、嵌合部２３から離れる側に向かって流れると、溝部２０の狭い方へと寄せ集められる。よって、筐体１２の内部に浸水した水を所定の方向に流すことができ、筐体１２内部に収納された電子部品等が配設された位置まで、水が浸入することを防ぐことができる。すなわち、部品数や組立の工程を増やすことなく、安価に防水性のある筐体を提供することが可能である。
【００２０】
また、溝部２０において、嵌合部２３がある側から離れた位置、すなわち溝部２０の幅が狭くなった位置である先端部２４に、直方体形状の吸水性の部材２５が設けられている。吸水性の部材２５により、溝部２０を伝った水を保持することができ、筐体１２内部で水が溝部２０を超えて浸入することを防ぐことができる。また、吸水性の部材２５は、従来のように嵌合部に配設されるものではないため、内面に配設される際に、精密に配置されなくてもよく、組立の工程が煩雑になることもない。
【００２１】
溝部２０について更に詳細に説明する。図３は、下面パーツ１７において、図２に示す直線I−I′に沿った断面を示す図である。
下面パーツ１７は、嵌合部２３を介して前面パーツ１４と嵌合している。また、下面パーツ１７は、肉厚部２２と、肉厚部２２から見て凹んだ部分である、肉薄部２１とを有する。溝部２０は、肉薄部２１を底面とし、肉厚部２２の側面を当該溝部２０の側面として構成される。
【００２２】
また、溝部２０は、嵌合部２３のある側の位置より、吸水性の部材２５が設けられた側の位置が低くなるよう構成される。これにより、嵌合部２３から侵入した水が溝部２０に設けられた吸水性の部材２５に集まりやすくすることができる。
【００２３】
更に、溝部２０が構成されたパーツである下面パーツ１７の嵌合部２３は、下面パーツ１７の外面１７ａの側と、下面パーツ１７の内面１７ｂの側とは、外面１７ａの側が内面１７ｂの側に比べて高い位置に構成されている。
【００２４】
これより、嵌合部２３から侵入した水が、下面パーツ１７の内面１７ｂを伝って、溝部２０により誘導されやすくすることが可能である。
【００２５】
また、溝部２０の壁面は直線でなくてもよい。図４は、溝部２０の壁面が曲線で構成された場合の、溝部２０を拡大した図である。溝部２０は嵌合部２３から離れている側つまり吸水性の部材２５が配設された側から、嵌合部２３のある側に向かって、末広がりの曲線で構成される。言い換えれば、肉厚部２２は、半楕円の薄い円柱の一部が、嵌合部２３に沿って、横一列に複数並べられた形状となっており、半楕円の同士の間の隙間が、溝部２０となっている。溝部２０の壁面を曲面にすることにより、より筐体１２の肉厚の部分を増やすことができ、筐体１２の強度を損なわずに、溝部２０を構成することができる。
【００２６】
また、肉薄部２１の内面上に、盛り上がった肉厚部２２が構成されるようにしてもよい。図５は、溝部２０の壁面が曲線であって、さらに、肉薄部２１の上に肉厚部２２が盛り上がった形状で構成された場合を示す、下面パーツ１７の斜視図を示す図である。
【００２７】
また、溝部２０は、下面パーツ１７の曲面に沿って構成するようにされてもよい。図６は、溝部２０が下面パーツ１７の曲面に沿って形成された場合の断面を示す図である。図７は、溝部２０が下面パーツ１７の曲面に沿って形成された場合を示す斜視図である。この場合、吸水性の部材２５は、長辺が下面パーツ１７の底面に沿って配置される。
嵌合部２３から侵入した水は、下面パーツ１７の内面を伝って、吸水性部材２５に保持される。
本実施の形態にかかる溝部２０を有する筐体１２においては、筐体１２の内部に侵入した水が、筐体１２に収納された電子部品まで侵入することを防ぐことができる。そのため、筐体１２を厳密に水密構造とする必要がなく、より安価に筐体を構成することが可能である。
【００２８】
なお、本発明は上記実施の形態に限られたものではなく、趣旨を逸脱しない範囲で適宜変更することが可能である。例えば、筐体１２を構成するパーツの嵌合部の一部に、弾性部材を配設して、嵌合部が水密な箇所を設けることも可能である。
【符号の説明】
【００２９】
１０  撮像装置
１１  レンズユニット
１２  筐体
１３  上面パーツ
１４  第１の前面パーツ
１５  第２の前面パーツ
１６  後面パーツ
１７  下面パーツ
１７ａ  外面
１７ｂ  内面
２０  溝部
２１  肉薄部
２２  肉厚部
２３  嵌合部
２４  先端部
２５  吸水性の部材
【図１】
2014109757.tif 000003
【図２】
2014109757.tif 000004
【図３】
2014109757.tif 000005
【図４】
2014109757.tif 000006
【図５】
2014109757.tif 000007
【図６】
2014109757.tif 000008
【図７】
2014109757.tif 000009